(57)【要約】【課題】仮送電工事を行う際に、バイパスケーブルを接続する相手方機器が羽子板端子板であり、且つ一つの羽子板端子板に対して複数本のケーブルを接続する必要がある場合に、接続作業を簡略化することができる。【解決手段】二枚の羽子板端子板３、４を電気的機械的に接続した羽子板端子板ユニット２と、一部を該羽子板端子板ユニットに対して電気的機械的に連結され、且つ他部をケーブル端部に対して電気的機械的に着脱可能なプラグイン端末１０と、を備える。【選択図】図１
2014143830.tif 000002
【特許請求の範囲】
【請求項１】
一枚の羽子板端子、又は電気的機械的に接続した二枚の羽子板端子板を有した羽子板端子板ユニットと、一部を該羽子板端子板ユニットに対して電気的機械的に連結され、且つ他部をケーブル端部に対して電気的機械的に着脱可能なプラグイン端末と、を備えたことを特徴とするケーブル用アダプタ。
【請求項２】
前記羽子板端子板ユニットは、前記プラグイン端末に対して回動自在に連結されていることを特徴とする請求項１に記載のケーブル用アダプタ。
【請求項３】
前記各羽子板端子板間の間隔、或いは傾斜角度を変化可能に構成したことを特徴とする請求項１又は２に記載のケーブル用アダプタ。
【請求項４】
一方の前記羽子板端子板に対して、他方の前記羽子板端子板を着脱自在に構成したことを特徴とする請求項１乃至３の何れか一項に記載のケーブル用アダプタ。
【発明の詳細な説明】
【技術分野】
【０００１】
本発明は、例えば、配電路を無停電とした状態で仮送電工事を行う際に、バイパスケーブルを接続する相手方機器の端子形状が羽子板端子板である場合であっても、接続作業を簡略化することができるケーブル用アダプタに関する。
【背景技術】
【０００２】
配電路内に配置された機器が故障した場合や、機器を定期的に交換する場合には、バイパスケーブルを用いて当該機器を回避したバイパス路を形成した上で、需要家には商用電源（電柱架線）や非常用電源（高圧発電機車）からの送電を維持しながら、作業箇所の電流を止めた上での応急復旧工法が行われる。
需要家の電気工作物、例えば受電設備の手前で供給支障が発生した場合に無停電での応急復旧工事を行う場合には、正常な受電設備にバイパスケーブルを直接接続した上での仮送電を行う仮送電工法が行われるが、バイパスケーブルの接続先となる受電設備側の端子には羽子板端子板が用いられていることが多い。
【０００３】
羽子板端子板は、導体板の板面に複数箇所のボルト締結用の穴を貫通形成したものであり、二枚の羽子板端子板のボルト穴が整合するように面同士を接合した状態でボルトにより締結することにより電気的機械的な接続を確保される。
このような場合、受電設備側の羽子板端子板と接続可能なサイズ、形状を有した羽子板端子板を用意した上で、現場での作業でバイパスケーブルの端部に羽子板端子板を接続することは容易でない。このため通常は、図７（ａ）（ｂ）に示すように、バイパスケーブル１２０の先端の絶縁被覆を剥離、除去して露出させた導体の先端に接続金具１０１を接続した上で、この接続金具１０１の穴を受電設備側の羽子板端子板１１０の各ボルト穴１１１と連通させた状態で、ボルト１１５、ナット１１６を用いて個別に接続固定する作業が行われる。
しかし、この作業も労力と時間を要する非効率的な作業であった。
【０００４】
特許文献１（特開平６−３５１１４６号）には、バイパスケーブル終端部とプラグイン接続することができ、且つ線径の異なる多種類のリード線に接続できるバイパスケーブル用アダプタが開示されている。このアダプタは、一端に羽子板端子を有し、他端に他のケーブルとの接続用の筒状部（螺子溝）を有している。筒状部には、バイパスケーブル終端部を螺着する構造となっている。
また、特許文献２（特開２００２−１９９５７２号）は、複数個の羽子板端子の一端部を連結した放射状の構成を有した幹線の分岐構造が開示されている。
また、特許文献３（特開平６−３５１１４５号）には、ケーブル先端に取り付けた羽子板端子板の角度を変化させるようにしたバイパスケーブル終端部が開示されている。
【０００５】
ところで、バイパスケーブルから受電設備側の羽子板端子板に供給することが求められている総電流値が、一本のバイパスケーブルの許容電流値を越えている場合には、複数本のバイパスケーブルを受電設備側の一つの羽子板端子板に接続する必要が生じるが、上記の特許文献１、２、３に開示されたアダプタや、バイパスケーブル終端部の構造では、現場での緊急措置として一つの羽子板端子板に対して複数の羽子板端子板を接続する作業を行うことは困難であった。
なお、上記の問題は、受電設備に限らず、羽子板端子板を備えた各種電圧調整器や高圧開閉器などの高圧機器においても発生するため、改善が求められている。
【先行技術文献】
【特許文献】
【０００６】
【特許文献１】特開平６−３５１１４６号公報
【特許文献２】特開２００２−１９９５７２公報
【特許文献３】特開平６−３５１１４５号公報
【発明の概要】
【発明が解決しようとする課題】
【０００７】
以上のように応急復旧工事において無停電工法としての仮送電工法を実施する際に、バイパスケーブルの接続先の端子が羽子板端子板であると、バイパスケーブル先端を羽子板端子板と接続可能な状態に加工する等の措置が必要となり、作業性の低下を招いていた。
特に、一つの羽子板端子板に対して複数本のバイパスケーブルを接続する必要がある場合には、作業性が更に低下していた。
本発明は上記に鑑みてなされたものであり、仮送電工事を行う際に、バイパスケーブルを接続する相手方機器が羽子板端子板であり、且つ一つの羽子板端子板に対して複数本のバイパスケーブルを接続する必要がある場合に、接続作業を簡略化することができるケーブル用アダプタを提供するものである。
なお、本発明のアダプタは、バイパスケーブル以外のケーブルを受電設備側の羽子板端子板と接続する際にも適用することができる。
【課題を解決するための手段】
【０００８】
上記目的を達成するため、請求項１の発明に係るケーブル用アダプタは、一枚の羽子板端子、又は電気的機械的に接続した二枚の羽子板端子板を有した羽子板端子板ユニットと、一部を該羽子板端子板ユニットに対して電気的機械的に連結され、且つ他部をケーブル端部に対して電気的機械的に着脱可能なプラグイン端末と、を備えたことを特徴とする。
請求項２の発明は、前記羽子板端子板ユニットは、前記プラグイン端末に対して回動自在に連結されていることを特徴とする。
請求項３の発明は、前記各羽子板端子板間の間隔、或いは傾斜角度を変化可能に構成したことを特徴とする。
請求項４の発明は、一方の前記羽子板端子板に対して、他方の前記羽子板端子板を着脱自在に構成したことを特徴とする。
【発明の効果】
【０００９】
本発明のアダプタは、ケーブル端部と着脱接続可能なプラグイン端末に対して、羽子板端子板を複数枚組み付けた構成を有している。このため、例えば仮送電工事を行う際に、バイパスケーブルを接続する相手方機器が羽子板端子板であり、且つ一つの羽子板端子板に対して複数本のバイパスケーブルを接続する必要がある場合に、接続作業を簡略化することができる。
なお、本発明のアダプタは、バイパスケーブル以外のケーブルを受電設備側の羽子板端子板と接続する際にも適用することができる。
【図面の簡単な説明】
【００１０】
【図１】（ａ）（ｂ）及び（ｃ）は本発明の一実施形態に係るケーブル用アダプタの一例としてのバイパスケーブル用アダプタの正面図、平面図、及び動作説明図である。
【図２】（ａ）（ｂ）は本発明の他の実施形態に係るアダプタの構成及び動作説明図である。
【図３】本発明の他の実施形態に係るアダプタの構成及び動作説明図である。
【図４】本発明の他の実施形態に係るアダプタの構成及び動作説明図である。
【図５】本発明のアダプタを利用して複数本のケーブルを受電側の羽子板端子板に接続した状態を示す模式図である。
【図６】（ａ）（ｂ）はアダプタに対して露出防止用カバーを取り付けた状態を示した正面図、及び平面図であり、（ｃ）及び（ｄ）は露出防止用カバーの外観斜視図である。
【図７】バイパスケーブル端部を受電側の羽子板端子板に接続する従来の手順、構成を示す説明図である。
【発明を実施するための形態】
【００１１】
以下、本発明を図面に示した実施の形態により詳細に説明する。
図１（ａ）（ｂ）及び（ｃ）は本発明の一実施形態に係るケーブル用アダプタの一例としてのバイパスケーブル用アダプタの正面図、平面図、及び動作説明図である。
本実施形態に係るバイパスケーブル用アダプタ（以下、アダプタ、という）１は、板面間を所定のギャップを隔てて対向させた状態で導体からなる複数の羽子板端子板３、４を電気的機械的に接続した羽子板端子板ユニット２と、羽子板端子板ユニット２に対して電気的機械的に連結され、且つバイパスケーブル３０の導体端部を電気的機械的に着脱可能なプラグイン端末１０と、を備えている。
羽子板端子板３、４は、導電性を有した金属板３ａ、４ａに、複数の締結穴３ｂ、４ｂを貫通形成したものであり、締結穴は円形であってもよいし、図示のように締結用のボルトを長穴内部で移動させることができる長穴状であってもよい。長穴とすることにより、締結用のボルトの締結位置を相手側の羽子板端子板のボルト穴の位置に応じて、長穴の長さの範囲内で調整することが可能となる。
各羽子板端子板３、４は、その基端部間を連結された略Ｕ字形状であり、金属板３ａ、４ａは並行に対向している。
【００１２】
プラグイン端末１０は、先端部１１に設けた連結部２０を介して羽子板端子板ユニット２を支持しているが、その他端部１２はバイパスケーブル３０の先端部を電気的機械的に着脱できるコネクタ構造となっている。具体的には、例えば直線接続筒（西日本電線株式会社製）のようにワンタッチでバイパスケーブル先端に設けた専用のコネクタと着脱できる接続構造を採用する。バイパスケーブル先端の専用コネクタをプラグイン端末１０の他端部１２の開口部内に差し込んで開口部内のコネクタと接続することによりバイパスケーブル内の導体部分と羽子板端子板ユニット２とは電気的機械的に接続された状態となる。
羽子板端子板ユニット２とプラグイン端末１０は、連結部２０によって固定的、或いは回動自在に連結されている。
【００１３】
図示した例では、連結部２０は、羽子板端子板ユニット２の基部５とプラグイン端末１０の先端部１１とを、図１（ｃ）に示したようにプラグイン端末の軸線と直交する軸部材２１を中心として１８０度の範囲で回動自在に軸支した軸支部として構成されている。具体的には、例えば羽子板端子板ユニットの基部５に設けた環状部５ａと、プラグイン端末の先端部１１に設けた環状部１１ａを、軸部材２１の外周に対して回動自在に嵌合する。
また、軸部材２１を、ボルト等の雄螺子部材と、この雄螺子部材が螺合する雌螺子部を備えたナット等の雌ネジ部材とから構成し、雄螺子部材を締め付けて各環状部５ａと１１ａとの締結力を調整することにより、羽子板端子板ユニット２とプラグイン端末１０を回動可能にしたり、回動不能に固定するように構成してもよい。この場合には、雄螺子部材を緩めることにより羽子板端子板ユニット２はプラグイン端末１０に対する角度を自由に調整でき、ボルトを締めることによりプラグイン端末１０に対する羽子板端子板ユニット２の角度を固定できる。
【００１４】
次に、図２（ａ）（ｂ）は他の実施形態を示しており、軸部材２１を支持したプラグイン端末の先端部１１自体がプラグイン端末により、その軸線を中心として３６０度程度回転可能に構成されている。
図１に基づいて説明した軸部材２１を中心とした羽子板端子板ユニット２の回動機構と、図２に示した回動機構を組み合わせてもよいことは勿論である。
【００１５】
次に、図３は本発明のバイパスケーブル用アダプタの変形例であり、羽子板端子板ユニット２を構成する一方の羽子板端子板３のベース部３ｃに対して、他方の羽子板端子板４のベース部４ｃを矢印方向（プラグイン端末の軸線方向と直交する方向）へ進退自在に構成することにより、並行な姿勢を維持したままで羽子板端子板間の距離を調整可能としたものである。
この例では、ベース部３ｃにボルト用の丸穴である螺子穴を設けると共に、ベース部４ｃにはこの螺子穴と連通する長穴を設け、螺子穴と長穴を連通させた状態でボルトを締結することにより、ベース部３ｃに対するベース部４ｃの位置を固定して、金属板間の距離を調整できる。ボルトを離脱させることにより、羽子板端子板４を羽子板端子板３から離脱させるように構成してもよい。
これによれば、バイパスケーブル３０の接続対象物としての受電設備側の羽子板端子板の周辺に位置する障害物等々の周辺状況に応じて、バイパスケーブルに対する羽子板端子板ユニット２の角度を種々変化させて確実に接続することが可能となる。
【００１６】
また、上記のように基部５に固定された一方の羽子板端子板３に対して他方の羽子板端子板４を着脱自在に構成して、羽子板端子板４が不要な場合には除去しておいてもよい。具体的には、ベース部３ｃ、４ｃにボルト用の丸穴である螺子穴を設けることにより、羽子板端子板３に対して羽子板端子板４を着脱自在としても良い。
図３の実施形態に係るアダプタ１における羽子板端子板３、４の可動構造、着脱構造は、図１、図２の実施形態に係る回転構造と組合せた構成が可能である。
【００１７】
次に、図４は本発明のバイパスケーブル用アダプタの他の変形例であり、羽子板端子板ユニット２を構成する羽子板端子板３、４を、基部５に設けた回動軸６によって内外方向へ回動自在に軸支した構成が特徴的である。なお、一方の羽子板端子板のみを回動自在に構成してもよい。
この構成によれば、各羽子板端子板３、４の傾斜角度を変化可能としたので、バイパスケーブル３０の接続対象物としての受電設備側の羽子板端子板の周辺に位置する障害物等々の周辺状況に応じて、バイパスケーブルに対する各金属板の傾斜角度を種々変化させて確実に接続することが可能となる。
図４の実施形態に係るアダプタ１における羽子板端子板３、４の開閉構造は、図１、図２の実施形態に係る回転構造、図３の実施形態に係る可動構造と組合せた構成が可能である。
【００１８】
以上の構成を備えた本発明のバイパスケーブル用アダプタ１は、その先端部に複数の羽子板端子板３、４を有した羽子板端子板ユニット２を有しているため、受電設備側の一つの羽子板端子板４０に対して一つの羽子板端子板ユニットを接続する場合には、図１（ａ）中に示すように、２枚の羽子板端子板３、４のうちの一方だけを羽子板端子板４０の面に接触させた状態で締結穴３ｂ、４ｂを羽子板端子板４０の締結穴４１と整合させた状態で、ボルト４５、ナット４６を用いて締結する。
なお、上記実施形態に係るアダプタ１では、プラグイン端末１０に取り付けられる羽子板端子板ユニットとして、二個の羽子板端子板を用いた例を示したが、一個の羽子板端子板をプラグイン端末１０に取り付けた構造としてもよい。この場合においても、受電設備側の羽子板端子板に対して、バイパスケーブルを接続する際の作業性が向上することは明かである。
【００１９】
また、図５は本発明のバイパスケーブル用アダプタ１を用いて、受電設備側の一つの羽子板端子板４０に対して複数本のバイパスケーブルを接続する場合の組み付け例を示している。
バイパスケーブルから受電設備側の羽子板端子板に供給することが求められている総電流値が、一本のバイパスケーブルの許容電流値を越えている場合には、複数本のバイパスケーブル３０を受電設備側の一つの羽子板端子板に接続する必要が生じる。
本実施形態に係るバイパスケーブル用アダプタ１は、２つの羽子板端子板３、４を有しているため、図５に示したように複数のバイパスケーブル３０ａ、３０ｂ、３０ｃに取り付けた各アダプタ１の一方の羽子板端子板同士（図示の例では、羽子板端子板３と４同士）をボルト・ナット等（図示せず）を用いて接合して一体化することができる。このようにして接合一体化した複数のアダプタ１を受電設備側の羽子板端子板４０と接続する場合には、図示したように一端寄りに位置する羽子板端子板３だけを接続すれば足りる。
なお、このように接続した際に、バイパスケーブル３０ｃに接続されたアダプタ１の羽子板端子板４が邪魔となる場合には、羽子板端子板４を羽子板端子板３に対して着脱自在な構成としておき、必要に応じて取り外せばよい。
【００２０】
次に、図６（ａ）（ｂ）はアダプタに対して露出防止用カバーを取り付けた状態を示した正面図、及び平面図であり、（ｃ）及び（ｄ）は露出防止用カバーの外観斜視図である。
高圧の電流が流れるアダプタ１の露出部分を少なくすることが安全対策上重要であるため、ゴム、樹脂等の絶縁材料からなるカバー５０を所要部位、本例では連結部２０に被せている。
本例のカバー５０は二本の羽子板端子板３、４を挿通させる穴５１を一端面に有した中空体であるが、これは一例に過ぎずどのような形状であってもよい。
【００２１】
以上のように本発明のアダプタは、ケーブル端部と着脱接続可能なプラグイン端末に対して、羽子板端子板を複数枚組み付けた構成を有している。このため、例えば仮送電工事を行う際に、バイパスケーブルを接続する相手方機器が羽子板端子板であり、且つ一つの羽子板端子板に対して複数本のバイパスケーブルを接続する必要がある場合に、接続作業を簡略化することができる。
なお、本発明のアダプタは、バイパスケーブルを受電設備以外の配電設備に設けられた羽子板端子板に接続する場合以外にも適用可能である。また、バイパスケーブル以外のケーブルを各種配電設備、配電機器に設けられた羽子板端子板に接続する場合にも適用が可能である。
【符号の説明】
【００２２】
１…バイパスケーブル用アダプタ、２…羽子板端子板ユニット、３…羽子板端子板、３ａ…金属板、３ｂ…締結穴、３ｃ…ベース部、４…羽子板端子板、４ａ…金属板、４ｂ…締結穴、４ｃ…ベース部、５…基部、５ａ…環状部、６…回動軸、１０…プラグイン端末、１１…先端部、１１ａ…環状部、１２…他端部、２０…連結部、２１…軸部材、３０…バイパスケーブル、３０ａ…バイパスケーブル、３０ｃ…バイパスケーブル、４０…羽子板端子板、４１…締結穴、４５…ボルト、４６…ナット、５０…カバー、５１…穴
【図１】
2014143830.tif 000003
【図２】
2014143830.tif 000004
【図３】
2014143830.tif 000005
【図４】
2014143830.tif 000006
【図５】
2014143830.tif 000007
【図６】
2014143830.tif 000008
【図７】
2014143830.tif 000009
【手続補正書】
【提出日】平成26年5月15日(2014.5.15)
【手続補正１】
【補正対象書類名】特許請求の範囲
【補正対象項目名】全文
【補正方法】変更
【補正の内容】
【特許請求の範囲】
【請求項１】
一枚の羽子板端子板、又は基端部間を連結された略Ｕ字状をなし、且つ電気的機械的に接続された二枚の羽子板端子板を有した羽子板端子板ユニットと、一部を該羽子板端子板ユニットに対して電気的機械的に連結され、且つ他部をケーブル端部に対して電気的機械的に着脱可能なプラグイン端末と、を備え、
前記羽子板端子板ユニットは、前記プラグイン端末に対して回動自在に連結されていることを特徴とするケーブル用アダプタ。
【請求項２】
前記各羽子板端子板間の間隔、或いは傾斜角度を変化可能に構成したことを特徴とする請求項１に記載のケーブル用アダプタ。
【請求項３】
一方の前記羽子板端子板に対して、他方の前記羽子板端子板を着脱自在に構成したことを特徴とする請求項１又は２の何れか一項に記載のケーブル用アダプタ。
【手続補正２】
【補正対象書類名】明細書
【補正対象項目名】０００８
【補正方法】変更
【補正の内容】
【０００８】
上記目的を達成するため、請求項１の発明に係るケーブル用アダプタは、一枚の羽子板端子板、又は基端部間を連結された略Ｕ字状をなし、且つ電気的機械的に接続された二枚の羽子板端子板を有した羽子板端子板ユニットと、一部を該羽子板端子板ユニットに対して電気的機械的に連結され、且つ他部をケーブル端部に対して電気的機械的に着脱可能なプラグイン端末と、を備え、
前記羽子板端子板ユニットは、前記プラグイン端末に対して回動自在に連結されていることを特徴とする。
請求項２の発明は、前記各羽子板端子板間の間隔、或いは傾斜角度を変化可能に構成したことを特徴とする。
請求項３の発明は、一方の前記羽子板端子板に対して、他方の前記羽子板端子板を着脱自在に構成したことを特徴とする。